(57)【要約】【課題】ネット素材で構成されるカツラベースについて、カツラベース周縁部における「迷彩効果」および「ほつれ防止」の両方を有効に実現できる構成を提供する。【解決手段】ネット素材からなるカツラベース１０の外周縁１０ａに対して、ネット素材からなるストリップ材２０を取り付ける。ストリップ材２０は、折畳みライン２１に沿って２つに折り畳んだ上で、その両サイド端縁２３ａ、２３ｂをさらに内側に折り返してなる４重構造とされていて、カツラベース外周縁１０ａを挟み込むようにして当該外周縁１０ａに取り付ける。そして、折畳みライン２１とカツラベースの外周縁１０ａとの間に第１隙間Ｘを設ける。【選択図】図２
2014139351.tif 000002
【特許請求の範囲】
【請求項１】
毛髪が植設されることでカツラを構成するカツラベース（１０）であって、
当該カツラベースは外周縁（１０ａ）の少なくとも一部がネット素材から構成されていて、当該ネット素材からなる外周縁（１０ａ）の少なくとも一部に対して、ネット素材からなるストリップ材（２０）が取り付けられており、
当該ストリップ材（２０）は、折畳みライン（２１）に沿って２つに折り畳んだ上で、その両サイド端縁（２３ａ、２３ｂ）をさらに内側に折り返してなる４重構造とされていて、上記カツラベースの外周縁（１０ａ）を挟み込むようにして当該外周縁（１０ａ）に取り付けられており、
上記折畳みライン（２１）とカツラベースの外周縁（１０ａ）との間に第１隙間（Ｘ）を設けたことを特徴とする、カツラベース。
【請求項２】
上記ストリップ材の折畳みライン（２１）と両サイド端縁（２３ａ、２３ｂ）との間に、上記第１隙間（Ｘ）よりも大きい第２隙間（Ｙ）を設けたことを特徴とする、請求項１記載のカツラベース。
【発明の詳細な説明】
【技術分野】
【０００１】
本発明は、毛髪が植設されることでカツラを構成するカツラベースであって、その周縁部に迷彩効果を与えるストリップを備えたカツラベースに関する。
【背景技術】
【０００２】
カツラは、一般的に装着者頭部の残毛状態に合わせた大きさで作製される。そのため、カツラを装着した時に頭部とカツラ周縁部との境界が目立つので、これを防止する迷彩効果を施すことが行われている。
【０００３】
例えば、特許文献１（実開昭６２−１１４０１８号）では、ネット部材で構成されるカツラベースの前頭部領域をギザギザの凹凸状に構成することが開示されている。この構成によれば、カツラベースと頭部との境目における迷彩効果は期待できるが、ギザギザの凹凸状に加工されたネット部材のほつれが起こり易いという欠点がある。
【０００４】
また、特許文献２（実開昭６３−９８３２９号）では、ナイロンのモノフィラメントで構成されるネット部材を、幅１０〜３０ｍｍを有する細長いストリップ状に切り取り、これを２つ折りにしてカツラベースの全周に溶着することが開示されている。
この構成も、カツラベースと頭部との境目の迷彩効果は期待できるが、次のような問題が残る。すなわち、２つ折りにしたネット部材が溶着によってカツラベース周縁部表面に固定されるが故に、当該周縁部だけが硬質で厚く形成されることとなり、その結果、当該周縁部がめくれ上がり易くなる。
【０００５】
一方、カツラベースがネット素材で構成されている場合、カツラを所定の大きさ及び形状に切断した際に、ネットを編成しているフィラメントのほつれが発生し易くなり、この状態でカツラを装着すると、カツラベース周縁部の外観が著しく低下する。これを防止するためには、カツラベース周端部に対して、ほつれ止めなどの処理を施す必要がある。
そのため、特許文献３（特開２００８−１４４３０６号）では、カツラベースの外周を覆うようにネット周縁部を形成することが開示されている。しかしながら、特許文献３では、「ネット周縁端部」と名称が記載されているだけで、その詳細な構成については何ら触れられていない。
【先行技術文献】
【特許文献】
【０００６】
【特許文献１】実開昭６２−１１４０１８号公報
【特許文献２】実開昭６３−９８３２９号公報
【特許文献３】特開２００８−１４４３０６号公報
【発明の概要】
【発明が解決しようとする課題】
【０００７】
カツラベースがネット素材で構成される場合、当該カツラベースの周縁部の処理に関して、頭部とカツラ周縁部との境目に迷彩効果を与えること、およびカツラベース周縁部のほつれ防止が重要となる。上述の通り、その両方について十分満足な効果が得られる構成は、これまで存在していない。
本発明はこれら従来技術における問題点に鑑みて創案されたものであり、その目的は、ネット素材で構成されるカツラベースについて、上記「迷彩効果」および「ほつれ防止」の両方を有効に実現できる構成を提供することにある。
【課題を解決するための手段】
【０００８】
本発明により、以下の特徴を備えたカツラベースが提供される。
すなわち、毛髪が植設されることでカツラを構成するカツラベースであって、当該カツラベースは外周縁の少なくとも一部がネット素材から構成されていて、当該ネット素材からなる外周縁の少なくとも一部に対して、ネット素材からなるストリップ材が取り付けられている。
当該ストリップ材は、折畳みラインに沿って２つに折り畳んだ上で、その両サイド端縁をさらに内側に折り返してなる４重構造とされていて、上記カツラベースの外周縁を挟み込むようにして当該外周縁に取り付けられている。
そして、上記折畳みラインとカツラベースの外周縁との間に第１隙間を設けている。
【０００９】
本発明において、「ネット素材」とは、何らかの網目状構造を有するものをいい、網目の粗さや材質等については、適宜のものを採用することができる。
【発明の効果】
【００１０】
上記構成を備えた本発明のカツラベースによれば、第１隙間が存在するが故に、カツラベースの周縁部が外部からは殆ど視認することができず、その結果、頭部との境目における迷彩効果が非常に高いものとなる。さらに、カツラベース周縁部が頭部に直接触れることが無くなるので、ほつれも有効に防止できる。
このように、本発明によれば、ネット素材で構成されるカツラベースについて、「迷彩効果」および「ほつれ防止」の両方を有効に実現することができる。
【００１１】
なお、本発明においては、ストリップ材の折畳みラインと両サイド端縁との間に、第１隙間よりも大きい第２隙間を設けることが好ましく、それにより、カツラ周縁部における迷彩効果をさらに高めることができる。
【図面の簡単な説明】
【００１２】
【図１】本発明の一実施形態に係るカツラベース１０を説明する概略図。
【図２】図２（ａ）は、図１中の２ａ−２ａ線断面図である。図２（ｂ）は、ストリップ材２０の折畳み態様を説明する図である。
【発明を実施するための形態】
【００１３】
本発明の実施形態を添付の図面を参照して以下に詳細に説明する。図１は、本発明の一実施形態に係るカツラベース１０を説明する概略図である。カツラベース１０に対して、人工または天然の毛髪１５が植設されてカツラを構成し、これが使用者の頭部に着用される。
図１では、毛髪１５を一部しか示していないが、カツラベース１０の全体に渡って、適宜毛髪１５が植設される。また、後述するストリップ２０に対しても毛髪を植設してもよい。
【００１４】
本発明においては、カツラベース１０をネット素材で構成しており、その周縁部１０ａにおける迷彩効果の付与、およびほつれ防止を目的として、ストリップ材２０を設ける。ストリップ材２０もネット素材から構成される。図１において、ストリップ材２０はその一部のみを実線で示しているが、破線で示しているようにカツラベースの全周に渡ってストリップ部材２０を設けてもよいし、特定の箇所においてのみストリップ材２０を設けてもよい。
【００１５】
図２（ａ）は、図１中の２ａ−２ａ線断面図であり、カツラベース周縁部１０ａおよびストリップ材２０の詳細を拡大して示している。図２（ｂ）は、ストリップ材２０を部分的に示しており、その折畳み態様を説明するものである。
ストリップ材２０は、所定長の細長い短冊状に切断したものを、まず中央の折畳みライン２１に沿って２つ折りにし、次に、破線ａ、ｂで示した箇所に沿って両サイド端縁２３ａ、２３ｂをさらに内側に折り返し、この状態で、カツラベース１０の周縁部１０ａを挟み込むようにして、当該周縁部１０ａに取り付ける。
【００１６】
周縁部１０ａに対するストリップ材２０の取り付けは、図２（ａ）中に破線Ｃで示した位置において縫着することが好ましい。
【００１７】
図２（ａ）に示しているように、「カツラベースの周縁部１０ａ」と「ストリップ材の折畳みライン２１」との間に第１隙間Ｘを設けている。第１隙間Ｘを設けると、そのような隙間が無い場合と比較して、カツラベースの周縁部１０ａのラインが外部からは殆ど視認することができず、その結果、頭部との境目における迷彩効果が非常に高いものとなる。
さらに、カツラベース周縁部１０ａが頭部に直接触れることが無くなるので、ほつれも有効に防止できる。
【００１８】
さらに、ストリップ材２０は、図２（ａ）に示したように、４重構造となっているが故に、強固で耐久性が高い。しかも、カツラベース１０の表面側と裏面側において等しく２枚のネット素材が重なるが故に、カツラ周縁部に歪みが生じることがなく、めくれ上がりも生じ難くなる。
特に、縫着によりストリップ材２０を周縁部１０ａに固定した場合には、「当該ストリップ２０を溶着で固定した従来例（特許文献２等）のように、溶着部だけが硬質となってめくれ上がる」といった不都合も生じない。
【００１９】
本発明においては、図２（ａ）に示しているように、ストリップ材の折畳みライン２１と両サイド端縁２３ａ、２３ｂとの間に、第１隙間Ｘよりも大きい第２隙間Ｙを設けることが好ましい。このような構成を採用すると、図２（ａ）において、４重構造部分から折畳みライン２１に向かうにつれて徐々に先細りとなる断面構造が得られ、これにより、周縁部における迷彩効果をさらに高めることができる。
なお、第１隙間Ｘおよび第２隙間Ｙにおける「第１」および「第２」という表現は、単に両者を区別する意味で用いているだけである。
【００２０】
≪他の構成≫
図面を参照して説明した実施形態では、カツラベース１０は全頭タイプのものであったが、本発明においては、カツラベースの大きさは、特定のものに限定されることはなく、部分カツラ用のカツラベースであってもよい。
【００２１】
また、カツラベースはその全領域がネット素材で構成されている必要はなく、少なくともカツラベース外周縁の一部領域がネット素材で構成されていれば、本発明を適用可能である。さらに、そのようなネット素材で構成される一部領域に対して、そのさらにその一部に対してのみ上記ストリップ材２０を取り付けることとしてもよい。
【符号の説明】
【００２２】
１０  カツラベース
１０ａ  カツラベースの周縁部
１５  毛髪
２０  ストリップ材
２１  折畳みライン
２３ａ、２３ｂ  両サイド端縁
【図１】
2014139351.tif 000003
【図２】
2014139351.tif 000004